(57)【特許請求の範囲】
【請求項１】
内部に複数のアンカーバーとワイヤーメッシュとを埋設した外殻板が適宜間隔をもって対向され、これら外殻板の間にあばら筋が適宜間隔ごとに配筋されてその両端部が前記アンカーバーに接合され、これらのアンカーバーには複数の横側鋼板が交差状に接合され、該横側鋼板が側圧用支保材によって連結され、前記外殻板の対向面にはコッタが設けられたことを特徴とする型枠。
【請求項２】
あばら筋が適宜間隔ごとに配筋され、これらあばら筋の両側部に設けたアンカーバーには複数の横側鋼板が交差状に接合され、該横側鋼板が側圧用支保材によって連結された梁用鉄筋籠が形成され、該梁用鉄筋籠の一側部を製作ベッド上に組立形成した下側の外殻板用型枠内に設置するとともに、該下側の外殻板用型枠の上方に組立形成し、支柱で支持された上側の外殻板用型枠内に梁用鉄筋籠の他側部を設置し、該梁用鉄筋籠を滑動防止金具で支柱に固定した後、前記上下の外殻板用型枠内にコンクリートを打設することを特徴とする型枠の製造方法。
【請求項３】
請求項１に記載の型枠を地盤の根切り底に設置し、その型枠における外殻板の外側をコンクリートの打設作業が容易な高さまで埋め戻した後、該埋め戻し材をコンクリート打設用足場として前記型枠内にコンクリートを打設することを特徴とする地中梁の構築方法。
【請求項４】
請求項１の型枠に柱主筋を配筋したものを柱の構築位置にそれぞれ建て込み、これらの外殻板の両側を側板で塞いで柱型枠を形成し、これらの柱型枠間の頭部に、請求項１の型枠に上端筋と下端筋とを配筋したものを架設し、これらの外殻板の下側を底板で塞いで梁型枠を形成し、これらの梁型枠間にＰＣ床板を設置して下床を形成した後、前記柱型枠と梁型枠と下床とにコンクリートを打設することを特徴とする柱と梁の構築方法。
【発明の詳細な説明】
【０００１】
【発明の属する技術分野】
本発明は型枠およびその製造方法、地中梁の構築方法および柱と梁の構築方法に関するものである。
【０００２】
【従来の技術】
従来、地中梁の構築方法は、図１６に示すように、地盤の根切り底４４の捨てコンクリート上に鉄筋および型枠４５を組立形成し、この型枠４５内にコンクリート４６を打設し、該コンクリート４６が硬化した後に型枠４５を解体して構築していた。また柱と梁の構築も現場において配筋した鉄筋を囲むように型枠を組み立て、その型枠内にコンクリートを打設して構築していた（図示せず）。
【０００３】
【発明が解決しようとする課題】
しかし、上記の地中梁の構築方法は、型枠の組立や解体、および鉄筋の配筋にに手間がかかるとともに、コンクリートの打設に足場を必要としていた。また、掘削残土は敷地の大きさに制限があるなどの理由で、敷地外に搬出した後、埋め戻しの際に再搬入していた。さらに柱と梁の構築は鉄筋の配筋や型枠の組立および解体が煩雑で手間がかかるという問題があった。
【０００４】
本発明は上記のような問題に鑑みてなされたものであり、その目的は、型枠の組立や解体、および鉄筋の配筋を省くことにより施工性の向上を図るととともに、掘削残土の搬出量および埋め戻し土の搬入量を少なくすることにより、コストの低減を図ることができる型枠およびその製造方法、地中梁の構築方法および柱と梁の構築方法を提供することである。
【０００５】
【課題を解決するための手段】
以上の課題を解決するための型枠は、内部に複数のアンカーバーとワイヤーメッシュとを埋設した外殻板が適宜間隔をもって対向され、これら外殻板の間にあばら筋が適宜間隔ごとに配筋されてその両端部が前記アンカーバーに接合され、これらのアンカーバーには複数の横側鋼板が交差状に接合され、該横側鋼板が側圧用支保材によって連結され、前記外殻板の対向面にはコッタが設けられたことを特徴とする。
また型枠の製造方法は、あばら筋が適宜間隔ごとに配筋され、これらあばら筋の両側部に設けたアンカーバーには複数の横側鋼板が交差状に接合され、該横側鋼板が側圧用支保材によって連結された梁用鉄筋籠が形成され、該梁用鉄筋籠の一側部を製作ベッド上に組立形成した下側の外殻板用型枠内に設置するとともに、該下側の外殻板用型枠の上方に組立形成し、支柱で支持された上側の外殻板用型枠内に梁用鉄筋籠の他側部を設置し、該梁用鉄筋籠を滑動防止金具で支柱に固定した後、前記上下の外殻板用型枠内にコンクリートを打設することを特徴とする。
また地中梁の構築方法は、請求項１に記載の型枠を地盤の根切り底に設置し、その型枠における外殻板の外側をコンクリートの打設作業が容易な高さまで埋め戻した後、該埋め戻し材をコンクリート打設用足場として前記型枠内にコンクリートを打設することを特徴とする。
また柱と梁の構築方法は、請求項１の型枠に柱主筋を配筋したものを柱の構築位置にそれぞれ建て込み、これらの外殻板の両側を側板で塞いで柱型枠を形成し、これらの柱型枠間の頭部に、請求項１の型枠に上端筋と下端筋とを配筋したものを架設し、これらの外殻板の下側を底板で塞いで梁型枠を形成し、これらの梁型枠間にＰＣ床板を設置して下床を形成した後、前記柱型枠と梁型枠と下床とにコンクリートを打設することを特徴とする。
【０００６】
対向した外殻板がアンカーバーで補強されるとともに、側圧用支保材で接続されたために、これらの外殻板間に打設されたコンクリートの側圧や埋め戻し時の土圧にも充分に耐えることができる。また梁用鉄筋籠を回転させて一側部を外殻板用型枠内に配置したことにより、対向した外殻板からなる地中梁用型枠を簡単に形成することができる。また、対向した外殻板を平行にした状態で形成することができる。また型枠の組立や解体を省くことができるとともに、掘削残土の搬出量と搬入量を減少させることができるのでコストの低減を図ることができる。また埋め戻し部をコンクリート打設用足場として利用することにより、コンクリート打設用足場を新たに設置する必要がない。また現場において鉄筋の配筋、および型枠の組立・解体をすることなく柱と梁を簡単に構築することができる。
【０００７】
【発明の実施の形態】
以下、本発明の型枠およびその製造方法、地中梁の構築方法および柱と梁の構築方法の実施の形態を図面に基づいて説明する。はじめに型枠について説明し、次にこの型枠の製造方法について説明し、次いで前記型枠を用いた地中梁の構築方法と、柱と梁の構築方法について説明する。図１は地中梁用型枠の平面図、図２は図１のＡ−Ａ線断面図である。
【０００８】
地中梁用型枠１は、図１および図２に示すように、外殻板２があばら筋３と側圧用支保材（以下、支保材という）４とで適宜間隔をもって対向状に形成されて構成されている。この外殻板２は長尺状のコンクリート板であり、内側面にコッタ５が形成されるとともに、内部にひび割れ防止用のワイヤーメッシュ６と、アンカーバー７とが埋設されている。
【０００９】
あばら筋３には中子筋９が配筋され、外殻板２に埋設されたあばら筋３の側部にアンカーバー７が結束接合されている。このアンカーバー７に横側鋼板１２が交差して溶接接合され、該横側鋼板１２には支保材４が溶接接合されて外殻板２相互を連結している。前記支保材４はコンクリートの側圧（引張力）に耐えるものであり、市販のセパレータを使用する。なお、前記中子筋９は必要に応じて設けるものであり、設けない場合もある。
【００１０】
したがって、外殻板２は埋め戻し材による外側からの側圧によって内側に狭まることもなく、打設コンクリートによる内側からの側圧によって外側に広がることもない。また地中梁用型枠１は外殻板２相互を支保材４で連結した構成、すなわち上板と底板とがないため軽量で、かつ平滑でない根切り底にも簡単に設置することができる。
【００１１】
次に、地中梁用型枠１の製造方法を、図３〜図５に基づいて説明する。図３は型枠を組み立てた横断面図、図４の（１）は同平面図、（２）は（１）のＢ−Ｂ線断面図、図５は型枠を組み立てた斜視図である。
【００１２】
はじめに、格子状のアンカーバー７を支保材４で対向状に溶接接合するとともに、これらのアンカーバー７にあばら筋３を適宜間隔ごとに溶接接合して梁用鉄筋籠１３を形成する。
【００１３】
そして、この梁用鉄筋籠１３を、図３に示すように、あばら筋３の側部（長辺方向側）が上下になるように回転させて、一側部を、製作ベッド１４上に組立形成した下側の外殻板用型枠１５内に設置する。この外殻板用型枠１５内にはひび割れ防止用のワイヤーメッシュ６が設置されているとともに、あばら筋３とベッド１４との間にはスペーサー１７が設けられている。
【００１４】
一方、梁用鉄筋籠１３の他方の側部は、下側の外殻板用型枠１５の上方に組立形成された上側の外殻板用型枠１９内に設置される。この外殻板用型枠１９内にもスペーサー１７を介してひび割れ防止用のワイヤーメッシュ６が設置されている。
【００１５】
また、梁用鉄筋籠１３は横ずれを防ぐために滑動防止金具２０で支柱２１に固定されている。このときあばら筋３の両側部は両外殻板用型枠１５、１９内に設置されているとともに、あばら筋３と支保材４とは両外殻板用型枠１５、１９の間に設置された状態になっている。
【００１６】
次に、図３に示すように、下側の外殻板用型枠１５内には梁用鉄筋籠１３の側面からコンクリート２２を打設するとともに、上側の外殻板用型枠１９内には上からコンクリート２２を打設し、これらのコンクリート２２が硬化した後に、上下の外殻板用型枠１５、１９を解体すると、図１に示すような地中梁用型枠１が形成される。このように地中梁用型枠１が完成したら、あばら筋を固定するために仮設された段取り筋１０を取り外して梁主筋を配筋する。
【００１７】
次に、上記の地中梁用型枠を用いた地中梁の構築方法を図６〜図１１に基づいて説明する。はじめに、工場で製作した上記の地中梁用型枠１を現場に搬入するか、あるいは現場において地中梁用型枠１を製作するとともに、図６の（１）および（２）に示すような地下躯体用の根切りを行う。そして、この根切り底２３に、（３）に示すような捨てコンクリート２４を打設して、その上に墨出しを行う。
【００１８】
次に、図７に示すように、捨てコンクリート２４上のフーチングおよび柱の構築位置２５に、ベース筋２６と柱主筋２７とを配筋する。そして、図８に示すように各柱間に、クレーンで吊り上げた地中梁用型枠１を設置し、これを桟木やコンクリート釘など（図示せず）の簡易な方法によって固定する。
【００１９】
次に、図９に示すように、各柱間に設置した地中梁用型枠１の梁主筋を連結筋２８で接合するとともにはかま筋２９を配筋する。
【００２０】
次に、図１０に示すように、地中梁用型枠１における外殻板２の外側をコンクリートの打設作業に容易な高さまで埋め戻し、該埋め戻し材３０でコンクリートの打設用足場を兼ねさせるとともに、フーチングおよび端部調整型枠３１を組立形成する。
【００２１】
次に、図１１に示すように、地中梁用型枠１内とフーチング型枠３１内とにコンクリート３２を打設して地下躯体３３を構築する。
【００２２】
以下に、図１２〜図１５に基づいて柱と梁の構築方法について説明する。図１２は、この構築方法に使用する柱型枠３４を示し、該柱型枠３４は柱主筋２７が外殻板２の上端部より上方に伸び、かつ外殻板２の一つに壁を形成するためのスペース３５が設けられたものであり、これ以外の構成は図１の地中梁用型枠１と同じである。なお、柱主筋２７は前記地中梁用型枠１と同様の方法で外殻板２を製作した後に挿入される。
【００２３】
また、図１３は、この構築方法に使用する梁型枠３６を示し、該梁型枠３６は上端筋３６ａおよび下端筋３６ｂが外殻板２の端部より横方向に伸び、かつ外殻板２の上部がハーフＰＣ床板を載せる幅だけ短くなったものであり、これ以外の構成は図１の地中梁用型枠１と同じである。なお、上端筋３６ａおよび下端筋３６ｂは前記地中梁用型枠１と同様の方法で外殻板２を製作した後に挿入される。
【００２４】
図１４は、これらの柱型枠３４と梁型枠３６を用いた柱と梁の構築方法を示したものであり、はじめに（１）に示すように、前記の柱型枠３４を柱の立設位置に建て込むとともに、外殻板２の両側を側板３７で塞ぎ、これを支保工３８で支える。次に、（２）に示すように、柱型枠３４間に梁型枠３６を設置するとともに、外殻板２の下側を底板３９で塞ぎ、これを支保工３８で支える。
【００２５】
次に、（３）に示すように、柱梁接合部内にフープ筋４０を配筋して梁の上下端筋３６ａ、３６ｂを接合すると、図１５に示すように、柱型枠３４および梁型枠３６が組み立て形成される。次に、（４）および（５）に示すように、各梁型枠３６間にハーフＰＣ床板４１などを設置し、その上に鉄筋を配筋することにより下床４２を形成する。次に、（６）に示すように、前記下床４２と柱型枠３４と梁型枠３６とにコンクリート４３を打設して躯体を構築する。このコンクリート４３の打設後は、従来のように柱型枠３４および梁型枠３６を解体することがないので作業の省力化が図れる。
【００２６】
【発明の効果】
対向した外殻板が、アンカーバーで補強されるとともに側圧用支保材で接続されたため、これらの外殻板間に打設されたコンクリートの側圧や埋め戻し時の土圧にも充分に耐えることができる。
【００２７】
梁用鉄筋籠を回転させて一側部を外殻板用型枠内に配置したことにより、対向した外殻板からなる地中梁用型枠を簡単に形成することができる。また、対向した外殻板を上下に平行させて形成することにより、外殻板用型枠内へコンクリートを簡単に打設することができる。
【００２８】
型枠の組立・解体および鉄筋の配筋作業を省くことができるとともに、掘削残土の搬出量と搬入量を減少させることができるのでコストの低減を図ることができる。また埋め戻し部をコンクリート打設用足場として利用することにより、コンクリート打設用足場を新たに設置する必要がない。
【００２９】
現場において鉄筋の配筋、および型枠の組立・解体をすることなく柱と梁を簡単に構築することができる。
【図面の簡単な説明】
【図１】地中梁用型枠の平面図である。
【図２】図１のＡ−Ａ線断面図である。
【図３】梁用鉄筋籠を回転させて一側部を一方の外殻板用型枠に設置するととともに、他側部を他方の外殻板用型枠に設置した断面図である。
【図４】（１）は梁用鉄筋籠を回転させて一側部を一方の外殻板用型枠に設置するととともに、他側部を他方の外殻板用型枠に設置した平面図、（２）は（１）のＢ−Ｂ線断面図である。
【図５】梁用鉄筋籠を回転させて一側部を一方の外殻板用型枠に設置するととともに、他側部を他方の外殻板用型枠に設置した斜視図である。
【図６】（１）は地下躯体用根切りの平面図、（２）は（１）のＣ−Ｃ線断面図、（３）は（２）の拡大断面図である。
【図７】（１）は地下躯体用の根切り底に配筋した平面図、（２）は（１）のＤ−Ｄ線断面図である。
【図８】（１）は根切り底に地中梁用型枠を設置した平面図、（２）は（１）のＥ−Ｅ線断面図、（３）は（２）の拡大断面図である。
【図９】（１）は地中梁用型枠の梁主筋相互を接続した平面図、（２）は（１）のＦ−Ｆ線断面図、（３）は（２）の拡大断面図である。
【図１０】（１）は地中梁用型枠における外殻板の外側を埋め戻した平面図、（２）は（１）のＧ−Ｇ線断面図、（３）は（２）の拡大断面図である。
【図１１】（１）は地中梁用型枠内とフーチング型枠内とにコンクリートを打設した平面図、（２）は（１）のＨ−Ｈ線断面図、（３）は（２）の拡大断面図である。
【図１２】（１）は柱型枠の斜視図、（２）は（１）の断面図である。
【図１３】（１）は梁型枠の斜視図、（２）は（１）の断面図である。
【図１４】（１）〜（６）は柱と梁の構築方法の工程図である。
【図１５】（１）は柱型枠と梁型枠を組み立てた斜視図、（２）は柱型枠の断面図、（３）は梁型枠の断面図である。
【図１６】従来の地中梁の構築方法を示す断面図である。
【符号の説明】
１  地中梁用型枠
２  外殻板
３  あばら筋
４  支保材
５  コッタ
６  ワイヤーメッシュ
７  アンカーバー
９  中子筋
１０  段取り筋
１２  横側鋼板
１３  鉄筋籠
１４  ベッド
１５  下側の外殻板用型枠
１７  スペーサー
１９  上側の外殻板用型枠
２０  滑動防止金具
２１  支柱
２２、３２、４３、４６  コンクリート
２３、４４  根切り底
２４  捨てコンクリート
２５  柱構築位置
２６  ベース筋
２７  柱主筋
２８  連結筋
２９  はかま筋
３０  埋め戻し材
３１  フーチング型枠
３３  地下躯体
３４  柱型枠
３５  スペース
３６  梁型枠
３７  側板
３８  支保工
３９  底板
４０  フープ筋
４１  ハーフＰＣ床板
４２  下床
４５  型枠
【図１】
0003803018.tif 000002
【図２】
0003803018.tif 000003
【図３】
0003803018.tif 000004
【図４】
0003803018.tif 000005
【図５】
0003803018.tif 000006
【図６】
0003803018.tif 000007
【図７】
0003803018.tif 000008
【図８】
0003803018.tif 000009
【図９】
0003803018.tif 000010
【図１０】
0003803018.tif 000011
【図１１】
0003803018.tif 000012
【図１２】
0003803018.tif 000013
【図１３】
0003803018.tif 000014
【図１４】
0003803018.tif 000015
【図１５】
0003803018.tif 000016
【図１６】
0003803018.tif 000017